(57)【要約】【課題】一次的な検査装置で検査された検体のうち、さらにフローサイトメータで検査する必要がある検体を特定可能な検体測定システムを提供する。【解決手段】  検体を測定する検体測定装置１０と、検体測定装置１０の測定結果に基づいて、フローサイトメータにより、検体を測定するか否かを判定する判定部３０１と、を備える検体測定システム。【選択図】図１
2020051872.tif 000002
【特許請求の範囲】
【請求項１】
検体を測定する検体測定装置と、
前記検体測定装置の測定結果に基づいて、フローサイトメータにより、前記検体を測定するか否かを判定する判定部と、
を備える、検体測定システム。
【請求項２】
前記検体の測定結果が所定の条件に合致する場合、前記判定部が前記フローサイトメータで前記検体を測定すると判定する、請求項１に記載の検体測定システム。
【請求項３】
前記検体測定装置が、前記フローサイトメータとは別個のフローサイトメータを備える、請求項１又は２に記載の検体測定システム。
【請求項４】
前記検体測定装置で測定される検体が抗体を含む標識試薬で処理されない、請求項３に記載の検体測定システム。
【請求項５】
前記検体が血液検体であり、
前記検体測定装置が、前記血液検体に含まれる血球を計測する血球計測装置を備え、
前記判定部が、前記血球計測装置の計測結果に基づいて、前記フローサイトメータで前記検体を測定するか否かを判定する、
請求項１から４のいずれか１項に記載の検体測定システム。
【請求項６】
前記血球が、芽球及びリンパ球を含む白血球、赤血球並びに血小板の少なくともいずれかであり、
芽球が存在する場合、リンパ球の数が所定の基準を満たす場合、赤血球の数が所定の基準を満たす場合、及び血小板の数が所定の基準を満たす場合の少なくともいずれかの場合、前記判定部が、前記フローサイトメータで前記検体を測定すると判定する、
請求項５に記載の検体測定システム。
【請求項７】
前記血液検体を塗抹した標本の画像を解析する画像解析装置をさらに備え、
前記画像解析装置の解析結果にさらに基づいて、前記判定部が、前記フローサイトメータで前記検体を測定するか否かを判定する、
請求項５又は６に記載の検体測定システム。
【請求項８】
前記検体が血液検体であり、
前記検体測定装置が、前記血液検体を塗抹した標本の画像を解析する画像解析装置を備え、
前記判定部が、前記画像解析装置の解析結果に基づいて、前記フローサイトメータで前記検体を測定するか否かを判定する、
請求項１又は２に記載の検体測定システム。
【請求項９】
前記画像解析装置が、前記標本の画像に白血病細胞が含まれるか解析し、前記標本の画像に白血病細胞が含まれる場合、前記判定部が、前記フローサイトメータで前記検体を測定すると判定する、請求項７又は８に記載の検体測定システム。
【請求項１０】
前記血液検体を塗抹した標本を作製する塗抹標本作製装置をさらに備える、請求項７から９のいずれか１項に記載の検体測定システム。
【請求項１１】
前記血液検体が異なる時期における同一被験者由来である、請求項５から１０のいずれか１項に記載の検体測定システム。
【請求項１２】
前記異なる時期における同一被験者由来の血液検体に含まれる血球数の変化に基づいて、前記判定部が、前記フローサイトメータで前記検体を測定するか否かを判定する、請求項１１に記載の検体測定システム。
【請求項１３】
前記検体測定装置の測定結果に基づいて、前記フローサイトメータに対する測定オーダを生成する測定オーダ生成部をさらに備える、請求項１から１２のいずれか１項に記載の検体測定システム。
【請求項１４】
前記検体測定装置の測定結果及び前記画像解析装置の解析結果に基づいて、前記フローサイトメータに対する測定オーダを生成する測定オーダ生成部をさらに備える、請求項７に記載の検体測定システム。
【請求項１５】
前記測定オーダにおいて、前記検体から前記フローサイトメータで測定される試料を調製するための標識試薬が指定される、請求項１３又は１４に記載の検体測定システム。
【請求項１６】
前記フローサイトメータで測定される試料を、少なくとも標識試薬及び前記検体から調製する試料調製装置をさらに備え、
前記試料調製装置が、前記測定オーダに基づいて前記試料を調製する、請求項１３から１５のいずれか１項に記載の検体測定システム。
【請求項１７】
前記判定部が前記フローサイトメータで前記検体を測定すると判定した場合、前記試料調製装置に前記検体を搬送する検体搬送装置をさらに備える、請求項１６に記載の検体測定システム。
【請求項１８】
前記検体搬送装置が、前記検体を収容した検体容器を搬送する、請求項１７に記載の検体測定システム。
【請求項１９】
前記検体容器を貯留する貯留部をさらに備える、請求項１８に記載の検体測定システム。
【請求項２０】
前記貯留部が、前記検体測定装置と前記試料調製装置との間に配置される、請求項１９に記載の検体測定システム。
【請求項２１】
前記貯留部が、前記試料調製装置が前記検体から前記試料を調製可能になるまで、前記検体容器を貯留する、請求項１９又は２０に記載の検体測定システム。
【請求項２２】
前記検体搬送装置が、複数の前記検体容器を保持可能な検体ラックを用いて、前記検体を搬送する、請求項１８から２１のいずれか１項に記載の検体測定システム。
【請求項２３】
前記検体の搬送先に応じて、検体ラックに保持されている前記検体容器を別の検体ラックに移し替える検体移し替え装置をさらに備える、請求項１８から２２のいずれか１項に記載の検体測定システム。
【請求項２４】
前記検体が載置される載置部をさらに備え、
前記検体搬送装置が、前記載置部から前記検体測定装置に前記検体を搬送する、
請求項１７から２３のいずれか１項に記載の検体測定システム。
【請求項２５】
前記検体搬送装置が、前記試料調製装置に搬送しない検体を前記載置部に戻す、請求項２４に記載の検体測定システム。
【請求項２６】
前記フローサイトメータに前記試料調製装置が調製した試料を搬送する試料搬送装置をさらに備える、請求項１７から２５のいずれか１項に記載の検体測定システム。
【請求項２７】
前記試料搬送装置が、前記試料調製装置から前記フローサイトメータに、前記試料を収容した試料容器を搬送する、請求項２６に記載の検体測定システム。
【請求項２８】
検体測定装置が検体を測定し、
判定部が、前記検体測定装置の測定結果に基づいて、フローサイトメータにより、前記検体を測定するか否かを判定する、
検体測定方法。
【請求項２９】
前記判定することにおいて、前記検体の測定結果が所定の条件に合致する場合、前記判定部が前記フローサイトメータで前記検体を測定すると判定する、請求項２８に記載の検体測定方法。
【請求項３０】
前記測定することにおいて、前記フローサイトメータとは別個のフローサイトメータで前記検体を測定する、請求項２８又は２９記載の検体測定方法。
【請求項３１】
前記検体測定装置が測定する検体が抗体を含む標識試薬で処理されない、請求項３０に記載の検体測定方法。
【請求項３２】
前記検体が血液検体であり、
前記測定することにおいて、前記検体測定装置が備える血球計測装置が前記血液検体に含まれる血球を計測し、
前記判定することにおいて、前記判定部が、前記血球計測装置の計測結果に基づいて、前記フローサイトメータで前記検体を測定するか否かを判定する、
請求項２９から３１のいずれか１項に記載の検体測定方法。
【請求項３３】
前記血球が、芽球及びリンパ球を含む白血球、赤血球並びに血小板の少なくともいずれかであり、
芽球が存在する場合、リンパ球の数が所定の基準を満たす場合、赤血球の数が所定の基準を満たす場合、及び血小板の数が所定の基準を満たす場合の少なくともいずれかの場合、前記判定することにおいて、前記判定部が、前記フローサイトメータで前記検体を測定すると判定する、
請求項３２に記載の検体測定方法。
【請求項３４】
画像解析装置が前記血液検体を塗抹した標本の画像を解析し、
前記判定することにおいて、前記判定部が、前記標本の画像の解析結果にさらに基づいて、前記フローサイトメータで前記検体を測定するか否かを判定する、
請求項３２又は３３に記載の検体測定方法。
【請求項３５】
前記検体が血液検体であり、
前記測定することにおいて、前記検体測定装置が備える画像解析装置が前記血液検体を塗抹した標本の画像を解析し、
前記判定することにおいて、前記判定部が、前記画像解析装置の解析結果に基づいて、前記フローサイトメータで前記検体を測定するか否かを判定する、
請求項２８又は２９に記載の検体測定方法。
【請求項３６】
前記標本の画像を解析することにおいて、前記標本の画像に白血病細胞が含まれるか解析し、前記標本の画像に白血病細胞が含まれる場合、前記判定することにおいて、前記判定部が、前記フローサイトメータで前記検体を測定すると判定する、請求項３４又は３５に記載の検体測定方法。
【請求項３７】
塗抹標本作製装置が前記血液検体を塗抹した標本を作製する、請求項３４から３６のいずれか１項に記載の検体測定方法。
【請求項３８】
前記判定することにおいて、前記判定部が、異なる時期における同一被験者由来の血液検体に含まれる血球数の変化に基づいて、前記フローサイトメータで前記検体を測定するか否かを判定する、請求項３２から３７のいずれか１項に記載の検体測定方法。
【請求項３９】
測定オーダ生成部が、前記検体測定装置の測定結果に基づいて、前記フローサイトメータに対する測定オーダを生成する、請求項２８から３８のいずれか１項に記載の検体測定方法。
【請求項４０】
測定オーダ生成部が、前記検体測定装置の測定結果及び前記標本の画像の解析結果に基づいて、前記フローサイトメータに対する測定オーダを生成する、請求項３４に記載の検体測定方法。
【請求項４１】
前記測定オーダにおいて、前記検体から前記フローサイトメータで測定される試料を調製するための標識試薬が指定される、請求項３９又は４０に記載の検体測定方法。
【請求項４２】
試料調製装置が、前記測定オーダに基づいて前記フローサイトメータで測定される試料を調製する、請求項３９から４１のいずれか１項に記載の検体測定方法。
【発明の詳細な説明】
【技術分野】
【０００１】
本発明は、検査技術に関し、検体測定システム及び検体測定方法に関する。
【背景技術】
【０００２】
病院や検査センター等の医療現場では、多数の検体が検査されている。それぞれの検体は、複数の測定装置を用いて測定される。例えば、測定装置で検体を測定して疾患の可能性があると医療従事者が判断すると、より精度の高い別の測定装置を用いて、個々の疾患で現れる特徴を検体が有しているか、より詳細な検査がなされる。
【０００３】
例えば、血液測定装置で血液検体を測定し、血液測定装置の測定結果に基づいて、血液検体から塗抹標本を作製し、塗抹標本の画像を解析することが提案されている（例えば、特許文献１参照。）。ヒトＴ細胞白血病ウイルス（ＨＴＬＶ）感染について検査する場合には、抗ＨＴＬＶ抗体及び標識抗体と反応した血液検体を分光装置で測定し、さらに血液検体をフローサイトメータで測定することがある。
【０００４】
検体を、例えば抗体試薬等の標識試薬で前処理して試料を調製し、試料をフローサイトメータで分析すると、疾患の可能性をより詳細に検査することが可能である。特許文献２に記載されたフローサイトメータの前処理装置は、前処理対象の検体を含む容器に貼り付けられた、検体ＩＤを記録しているバーコードを読取装置で読み取り、外部の管理コンピュータにアクセスする。前処理装置は、管理コンピュータから検体に対するフローサイトメータの測定項目情報を取得し、測定項目情報に基づいて、検体と標識試薬とを混合し、試料を調製する。また、前処理装置は、必要に応じて、試料を遠心分離する。
【先行技術文献】
【特許文献】
【０００５】
【特許文献１】特開２０１１−２１４８３５号公報
【特許文献２】特開２０１７−１９８６２５号公報
【発明の概要】
【発明が解決しようとする課題】
【０００６】
一次的な測定装置で測定された検体のうち、標識試薬で前処理されてフローサイトメータでさらに詳細に測定される検体は、全体のうち一部である。多数の検体が存在する中で、より詳細な測定が必要とされた検体を医療従事者が管理し、特定することは煩雑であり、困難である。また、より詳細な測定が必要とされた検体を抽出する際に、誤った検体を抽出したり、抽出した検体を誤った測定装置に搬送したりする危険性がある。そこで、本発明は、一次的な測定装置で測定された検体のうち、さらにフローサイトメータでより詳細に測定する必要がある検体を特定可能な検体測定システム及び検体測定方法を提供することを目的の一つとする。
【課題を解決するための手段】
【０００７】
本発明の態様によれば、検体を測定する検体測定装置１０と、検体測定装置１０の測定結果に基づいて、フローサイトメータにより、検体を測定するか否かを判定する判定部３０１と、を備える、検体測定システムが提供される。判定部３０１は、コンピュータ等に含まれる。
【０００８】
上記の検体測定システムによれば、検体測定装置１０で測定された検体のうち、検体測定装置１０の測定結果に基づいて、フローサイトメータで測定する必要がある検体を特定することが可能である。
【０００９】
上記の検体測定システムにおいて、検体の測定結果が所定の条件に合致する場合、判定部３０１が、フローサイトメータで検体を測定すると判定してもよい。所定の条件は、例えば、疾患可能性の基準等に基づいて予め設定されてもよい。
【００１０】
上記の検体測定システムによれば、検体を提供した被験者が疾患の可能性がある検体を、フローサイトメータで測定する必要がある検体として特定することが可能である。
【００１１】
上記の検体測定システムにおいて、検体測定装置１０が、上記のフローサイトメータとは別個のフローサイトメータを備えていてもよい。
【００１２】
上記の検体測定システムによれば、複数のフローサイトメータで、検体を段階的に測定することが可能である。
【００１３】
上記の検体測定システムにおいて、検体測定装置１０で測定される検体が抗体を含む標識試薬で処理されなくともよい。
【００１４】
上記の検体測定システムによれば、高価な標識試薬の使用を抑制することが可能である。
【００１５】
上記の検体測定システムにおいて、検体が血液検体であり、検体測定装置１０が、血液検体に含まれる血球を計測する血球計測装置を備え、判定部３０１が、血球計測装置の計測結果に基づいて、フローサイトメータで検体を測定するか否かを判定してもよい。血球が、芽球及びリンパ球などを含む白血球、赤血球並びに血小板の少なくともいずれかであってもよい。芽球が存在する場合、リンパ球の数が所定の基準を満たす場合、赤血球の数が所定の基準を満たす場合、及び血小板の数が所定の基準を満たす場合の少なくともいずれかの場合、判定部３０１が、フローサイトメータで検体を測定すると判定してもよい。
【００１６】
上記の検体測定システムによれば、血液検体に含まれる血球の状態に基づいて、フローサイトメータで測定する必要がある血液検体を特定することが可能である。
【００１７】
上記の検体測定システムが、検体測定装置１０に加えて血液検体を塗抹した標本の画像を解析する画像解析装置３３０をさらに備え、画像解析装置３３０の解析結果にさらに基づいて、判定部３０１が、フローサイトメータで検体を測定するか否かを判定してもよい。あるいは、上記の検体測定システムにおいて、検体が血液検体であり、検体測定装置１０が、血液検体を塗抹した標本の画像を解析する画像解析装置を備え、判定部３０１が、画像解析装置の解析結果に基づいて、フローサイトメータで検体を測定するか否かを判定してもよい。画像解析装置３３０が、標本の画像に白血病細胞が含まれるか解析し、標本の画像に白血病細胞が含まれる場合、判定部３０１が、フローサイトメータで検体を測定すると判定してもよい。上記の検体測定システムが、血液検体を塗抹した標本を作製する塗抹標本作製装置６１をさらに備えていてもよい。
【００１８】
上記の検体測定システムによれば、血液検体の塗抹標本に基づいて、フローサイトメータで測定する必要がある血液検体を特定することが可能である。
【００１９】
上記の検体測定システムにおいて、血液検体が異なる時期における同一被験者由来であってもよい。異なる時期における同一被験者由来の血液検体に含まれる血球数の変化に基づいて、判定部３０１が、フローサイトメータで検体を測定するか否かを判定してもよい。
【００２０】
上記の検体測定システムによれば、同一被験者由来の血液検体の塗抹標本に基づいて、フローサイトメータで測定する必要がある血液検体を特定することが可能である。
【００２１】
上記の検体測定システムが、検体測定装置１０の測定結果に基づいて、フローサイトメータに対する測定オーダを生成する測定オーダ生成部３０２をさらに備えていてもよい。あるいは、上記の検体測定システムが、検体測定装置１０の測定結果及び画像解析装置３３０の解析結果に基づいて、フローサイトメータに対する測定オーダを生成する測定オーダ生成部３０２をさらに備えていてもよい。
【００２２】
上記の検体測定システムによれば、フローサイトメータに対する測定オーダを、検体測定装置１０の測定結果あるいは検体測定装置１０の測定結果及び画像解析装置３３０の解析結果に基づいて、自動的に生成することが可能である。
【００２３】
上記の検体測定システムにおいて、測定オーダにおいて、検体から試料を調製するための標識試薬が指定されてもよい。上記の検体測定システムがフローサイトメータで測定される試料を、少なくとも標識試薬及び検体から調製する試料調製装置３０をさらに備え、試料調製装置３０が、測定オーダに基づいて試料を調製してもよい。
【００２４】
上記の検体測定システムによれば、検体から試料を調製するための標識試薬を自動的に指定し、試料調製装置３０が、試料を自動的に調製することが可能である。
【００２５】
上記の検体測定システムが、判定部３０１がフローサイトメータで検体を測定すると判定した場合、試料調製装置３０に検体を搬送する検体搬送装置４０をさらに備えていてもよい。上記の検体測定システムにおいて、検体搬送装置４０が、検体を収容した検体容器を搬送してもよい。
【００２６】
上記の検体測定システムによれば、判定部３０１がフローサイトメータで測定すると判定した検体を、試料調製装置３０に自動的に搬送することが可能である。
【００２７】
上記の検体測定システムが、検体容器を貯留する貯留部７０をさらに備えていてもよい。貯留部７０が、検体測定装置１０と試料調製装置３０との間に配置されてもよい。貯留部７０が、試料調製装置３０が検体から試料を調製可能になるまで、検体容器を貯留してもよい。
【００２８】
上記の検体測定システムによれば、試料調製装置３０が検体から試料を調製可能になるまで、検体を容器内に収容したまま待機することが可能である。
【００２９】
上記の検体測定システムにおいて、検体搬送装置４０が、複数の検体容器を保持可能な検体ラックを用いて、検体を搬送してもよい。
【００３０】
上記の検体測定システムによれば、検体測定装置１０で測定された検体のうち、検体測定装置１０の測定結果に基づいて、フローサイトメータで測定する必要がある複数の検体を、検体搬送装置４０が、試料調製装置３０に自動的に搬送することが可能である。
【００３１】
上記の検体測定システムが、検体の搬送先に応じて、検体ラックに保持されている検体容器を別の検体ラックに移し替える検体移し替え装置８０をさらに備えていてもよい。
【００３２】
上記の検体測定システムによれば、検体の搬送先に応じて検体ラックに保持されている検体容器を別の検体ラックに移し替えることが可能である。
【００３３】
上記の検体測定システムが、検体が載置される載置部５０をさらに備え、検体搬送装置４０が、載置部５０から検体測定装置１０に検体を搬送してもよい。検体搬送装置４０が、試料調製装置３０に搬送しない検体を載置部５０に戻してもよい。
【００３４】
上記の検体測定システムによれば、試料調製装置３０に搬送する必要のない検体の滞留を防ぐことが可能である。
【００３５】
上記の検体測定システムが、試料測定装置に試料調製装置が調製した試料を搬送する試料搬送装置をさらに備えていてもよい。試料搬送装置が、試料調製装置３０からフローサイトメータに、試料を収容した試料容器を搬送してもよい。
【００３６】
上記の検体測定システムによれば、検体測定装置１０で測定された検体のうち、検体測定装置１０の測定結果に基づいて、フローサイトメータで測定する必要がある検体を、試料搬送装置が、フローサイトメータに自動的に搬送することが可能である。
【００３７】
また、本発明の態様によれば、検体測定装置１０が検体を測定し、判定部３０１が、検体測定装置１０の測定結果に基づいて、フローサイトメータにより、検体を測定するか否かを判定する、検体測定方法が提供される。
【００３８】
上記の検体測定方法によれば、検体測定装置１０で測定された検体のうち、検体測定装置１０の測定結果に基づいて、フローサイトメータ測定する必要がある検体を特定することが可能である。
【００３９】
上記の検体測定方法において、判定することにおいて、検体の測定結果が所定の条件に合致する場合、判定部３０１がフローサイトメータで検体を測定すると判定してもよい。所定の条件は、例えば、疾患可能性の基準等に基づいて予め設定されてもよい。
【００４０】
上記の検体測定方法によれば、検体を提供した被験者が疾患の可能性がある検体を、フローサイトメータで測定する必要がある検体として特定することが可能である。
【００４１】
上記の検体測定方法において、測定することにおいて、フローサイトメータとは別個のフローサイトメータで検体を測定してもよい。
【００４２】
上記の検体測定方法によれば、複数のフローサイトメータで、検体を段階的に測定することが可能である。
【００４３】
上記の検体測定方法において、検体測定装置１０が測定する検体が抗体を含む標識試薬で処理されなくともよい。
【００４４】
上記の検体測定方法によれば、高価な標識試薬の使用を抑制することが可能である。
【００４５】
上記の検体測定方法において、検体が血液検体であり、測定することにおいて、検体測定装置１０が備える血球計測装置が血液検体に含まれる血球を計測し、判定することにおいて、判定部３０１が、血球計測装置の計測結果に基づいて、フローサイトメータで検体を測定するか否かを判定してもよい。血球が、芽球及びリンパ球などを含む白血球、赤血球、並びに血小板の少なくともいずれかであり、芽球が存在する場合、リンパ球の数が所定の基準を満たす場合、赤血球の数が所定の基準を満たす場合、及び血小板の数が所定の基準を満たす場合の少なくともいずれかの場合、判定することにおいて、判定部３０１が、フローサイトメータで検体を測定すると判定してもよい。
【００４６】
上記の検体測定方法によれば、血液検体に含まれる血球の状態に基づいて、フローサイトメータで測定する必要がある血液検体を特定することが可能である。
【００４７】
上記の検体測定方法が、検体測定装置１０が備える血球計測装置が血液検体に含まれる血球を計測することに加えて、画像解析装置３３０が血液検体を塗抹した標本の画像を解析し、判定することにおいて、判定部３０１が、標本の画像の解析結果にさらに基づいて、フローサイトメータで検体を測定するか否かを判定してもよい。あるいは、上記の検体測定方法において、検体が血液検体であり、測定することにおいて、検体測定装置１０が備える画像解析装置が血液検体を塗抹した標本の画像を解析し、判定することにおいて、判定部３０１が、画像解析装置の解析結果に基づいて、フローサイトメータで検体を測定するか否かを判定してもよい。標本の画像を解析することにおいて、標本の画像に白血病細胞が含まれるか解析し、標本の画像に白血病細胞が含まれる場合、判定することにおいて、判定部３０１が、フローサイトメータで検体を測定すると判定してもよい。上記の検体測定方法において、塗抹標本作製装置６１が血液検体を塗抹した標本を作製してもよい。
【００４８】
上記の検体測定方法によれば、血液検体の塗抹標本に基づいて、フローサイトメータで測定する必要がある血液検体を特定することが可能である。
【００４９】
上記の検体測定方法において、判定部３０１が、異なる時期における同一被験者由来の血液検体に含まれる血球数の変化に基づいて、フローサイトメータで検体を測定するか否かを判定してもよい。
【００５０】
上記の検体測定方法によれば、同一被験者由来の血液検体の塗抹標本に基づいて、フローサイトメータで測定する必要がある血液検体を特定することが可能である。
【００５１】
上記の検体測定方法において、測定オーダ生成部３０２が、検体測定装置１０の測定結果に基づいて、フローサイトメータに対する測定オーダを生成してもよい。あるいは、上記の検体測定方法において、測定オーダ生成部３０２が、検体測定装置１０の測定結果及び標本の画像の解析結果に基づいて、フローサイトメータに対する測定オーダを生成してもよい。
【００５２】
上記の検体測定方法によれば、検体から調製される試料の測定オーダを、検体測定装置１０の測定結果あるいは検体測定装置１０の測定結果及び画像解析装置３３０の解析結果に基づいて自動的に生成することが可能である。
【００５３】
上記の検体測定方法において、測定オーダにおいて、検体からフローサイトメータで測定される試料を調製するための標識試薬が指定されてもよい。調製することにおいて、試料調製装置３０が、測定オーダに基づいてフローサイトメータで測定される試料を調製してもよい。
【００５４】
上記の検体測定方法によれば、検体からフローサイトメータで測定される試料を調製するための標識試薬を指定し、試料調製装置３０が、試料を調製することが可能である。
【発明の効果】
【００５５】
本発明によれば、一次的な検査装置で検査された検体のうち、さらにフローサイトメータで検査する必要がある検体を特定可能な検体測定システム及び検体測定方法を提供可能である。
【図面の簡単な説明】
【００５６】
【図１】実施形態に係る検体測定システムの模式的上面図である。
【図２】実施形態に係る検体容器と検体ラックを示す模式図である。
【図３】実施形態に係る検体測定装置が備えるフローサイトメータの模式図である。
【図４】実施形態に係る検体測定システムのホストコンピュータのブロック図である。
【図５】実施形態に係る測定オーダの測定項目の変更を受け付ける際に表示される出力の模式図である。
【図６】実施形態に係る検体測定方法を示すフローチャートである。
【図７】実施形態に係る検体測定方法を示すフローチャートである。
【図８】実施形態に係る検体測定方法を示すフローチャートである。
【図９】実施形態に係る検体測定方法を示すフローチャートである。
【図１０】実施形態に係る検体測定方法を示すフローチャートである。
【発明を実施するための形態】
【００５７】
以下、本発明の実施形態について図面を参照して説明する。以下の図面の記載において、同一又は類似の部分には同一又は類似の符号で表している。ただし、図面は模式的なものである。したがって、具体的な寸法等は以下の説明を照らし合わせて判断するべきものである。また、図面相互間においても互いの寸法の関係や比率が異なる部分が含まれていることはもちろんである。
【００５８】
以下に示す実施形態は、造血器腫瘍検査に本発明を適用した例である。実施形態に係る検体測定システムは、図１に示すように、検体を測定する検体測定装置１０と、検体測定装置１０の測定結果に基づいて、フローサイトメータにより、検体を測定するか否かを判定する判定部を備えるホストコンピュータ３００と、を備える。実施形態に係る検体測定システムは、複数の検体測定装置１０を備えていてもよい。図１において、フローサイトメータは、試料測定装置２０に含まれる。
【００５９】
検体は、末梢血等の血液検体である。検体は骨髄液やリンパ節浮遊液、胸水・腹水などを含む体液であってもよい。以下、検体が血液検体である例を説明する。図２（ａ）に示すように、検体は、試験官等の検体容器Ｔに収容される。検体容器の開口は、ゴム等からなる栓ＣＰで封がされる。図２（ｂ）に示すように、１又は複数の検体容器Ｔを検体ラックＬで保持してもよい。検体容器Ｔ及び検体ラックＣＰのそれぞれには、バーコード等の識別子ＢＬ１、ＢＬ２が設けられている。
【００６０】
実施形態に係る検体測定システムは、図１に示すように、複数の検体容器を保持する検体ラックが載置される載置部５０を備える。載置部５０は、識別子を読み取る読み取り装置を備える。載置部５０が備える読み取り装置は、検体容器の識別子及び検体ラックの識別子を読み取り、搬送コントローラ３０５に送る。
【００６１】
搬送コントローラ３０５は、受信した識別子が複数の検体測定装置１０のいずれかで検査すべき検体に対応しているか、通信ネットワークを介してホストコンピュータ３００に問い合わせる。受信した識別子が複数の検体測定装置１０のいずれかで検査すべき検体に対応している場合、搬送コントローラ３０５は、載置部５０を制御し、載置部５０が検体容器を収容している検体ラックを検体搬送装置４０に送り出す。また、搬送コントローラ３０５は、検体搬送装置４０を制御し、検体搬送装置４０が、載置部５０から搬送コントローラ３０５で指定された検体測定装置１０に、検体容器を保持する検体ラックを搬送する。検体搬送装置４０は、コンベアを備える。
【００６２】
複数の検体測定装置１０のそれぞれは、識別子を読み取る読み取り装置を備える。複数の検体測定装置１０のそれぞれが備える読み取り装置は、検体容器の識別子及び検体ラックの識別子を読み取り、情報処理ユニット３１０に送る。情報処理ユニット３１０は、識別子に対して予め用意されている測定オーダを、通信ネットワークを介してホストコンピュータ３００に問い合わせる。情報処理ユニット３１０は、ホストコンピュータ３００から受信した測定オーダを複数の検体測定装置１０のそれぞれに送る。ただし、医療従事者が、複数の検体測定装置１０のそれぞれに検体を運んでもよい。
【００６３】
複数の検体測定装置１０のそれぞれは、例えば、検体容器の栓に吸引管を突き刺し、検体容器内から必要量の検体を吸引し、ホストコンピュータ３００から送信された測定オーダに従って、検体を測定する。複数の検体測定装置１０のそれぞれは、血液検体に含まれる血球を計測する血球計測装置を備える。血球の例としては、芽球及びリンパ球などを含む白血球、赤血球並びに血小板等が挙げられる。なお、通常、健常者の末梢血には芽球が存在せず、急性白血病患者の末梢血には芽球が存在するため、芽球を白血病細胞と呼ぶ場合がある。血球計測装置はヘモグロビン濃度を測定してもよい。
【００６４】
血球計測装置としては、フローサイトメータが使用可能である。ただし、検体測定装置１０が備えるフローサイトメータは、試料測定装置２０が備えるフローサイトメータとは別個の装置である。検体測定装置１０が備えるフローサイトメータで検体を計測する際には、必ずしも抗体試薬等の標識試薬による検体の前処理を必要としない。例えば、検体測定装置１０が備えるフローサイトメータで検体を計測する際には、試料調製装置３０で試料を調製する際に用いる標識試薬で検体を処理しない。試料調製装置３０で試料を調製する際に用いる標識試薬は、例えば、モノクローナル抗体等の抗体を含む。
【００６５】
図３に示すように、検体測定装置１０が備えるフローサイトメータ１１は、フローセル１２を備える。フローサイトメータ１１は、検体をフローセル１２に送液する。フローセル１２に供給された検体に、光源１３から光が照射され、検体から発せられた前方散乱光、側方散乱光、及び蛍光を光検出部１４が検出する。光検出部１４には分析部１５が接続されている。分析部１５は、光検出部１４が検出した前方散乱光、側方散乱光、及び蛍光を分析し、検体に含まれる血球の種類を分類し、計測する。分析部１５は、図１に示す情報処理ユニット３１０に含まれる。
【００６６】
図４に示すように、ホストコンピュータ３００に含まれる判定部３０１は、図１に示す検体測定装置１０に接続された情報処理ユニット３１０から検体の測定結果を受信する。ここで、検体の測定結果とは、芽球の存在可能性を示すフラッグ、リンパ球などを含む白血球、赤血球並びに血小板等の計数結果、並びにヘモグロビン濃度である。判定部３０１は、検体測定装置１０による検体の測定結果に基づいて、試料測定装置２０が備えるフローサイトメータにより、検体を測定するか否かを判定する。例えば、判定部３０１は、検体が所定の条件を満たすか判定する。判定部３０１は、異なる時期における同一被験者由来の血液検体に含まれる血球数の変化に基づいて、検体が所定の条件を満たすか判定してもよい。所定の条件は、例えば、疾患可能性の基準等に基づいて予め設定される。
【００６７】
実施形態に係る検体測定システムは、血液検体を塗抹した標本を作製する塗抹標本作製装置６１をさらに備える。検体が所定の条件を満たす場合、判定部３０１は、試料測定装置２０が備えるフローサイトメータにより、検体を測定すると判定する。また、例えば、この場合、判定部３０１は、検体搬送装置４０で塗抹標本作製装置６１又は試料調製装置３０に検体を搬送すると判定する。判定部３０１は、検体測定装置１０による検体の測定結果に基づいて、塗抹標本作製装置６１を介さずに試料調製装置３０に検体を搬送すると判定してもよい。検体の測定結果検体が所定の条件を満たさない場合、判定部３０１は、試料測定装置２０が備えるフローサイトメータにより、検体を測定しないと判定する。また、例えば、この場合、判定部３０１は、検体搬送装置４０で塗抹標本作製装置６１及び試料調製装置３０に検体を搬送しないと判定する。
【００６８】
例えば、判定部３０１は、白血球数が高いか、白血球計数分類が異常であるか、芽球の存在を示すフラッグが立っているか等の所定の基準を満たすか判定する。白血球計数分類とは、例えば、白血球における好中球、リンパ球、単球、好酸球及び好塩基球の数又は存在割合である。所定の基準を満たす場合、検体を提供した被験者が造血器腫瘍を有する可能性がある。所定の基準を満たさない場合は、被験者が造血器腫瘍を有する可能性は低い。
【００６９】
被験者が造血器腫瘍を有する可能性がある場合、判定部３０１は、試料測定装置２０が備えるフローサイトメータにより、検体を測定すると判定する。また、例えば、この場合、判定部３０１は、塗抹標本作製装置６１又は試料調製装置３０に検体搬送装置４０で検体を搬送すると判定する。被験者が造血器腫瘍を有する可能性が低い場合、判定部３０１は、試料測定装置２０が備えるフローサイトメータにより、検体を測定しないと判定する。また、例えば、この場合、判定部３０１は、塗抹標本作製装置６１及び試料調製装置３０に検体搬送装置４０で検体を搬送しないと判定する。
【００７０】
判定部３０１を含むホストコンピュータ３００には、例えば、判定部３０１の判定結果を出力する出力装置５０１が接続される。出力装置５０１としては、液晶ディスプレイ及び有機ＥＬディスプレイ等のディスプレイが使用可能である。判定部３０１がフローサイトメータにより検体を測定すると判定した場合、医療従事者が、フローサイトメータに検体を運んでもよい。
【００７１】
判定部３０１が塗抹標本作製装置６１又は試料調製装置３０に検体搬送装置４０で検体を搬送すると判定した場合、搬送コントローラ３０５が検体搬送装置４０を制御し、検体搬送装置４０が、検体測定装置１０から塗抹標本作製装置６１又は試料調製装置３０に検体容器を保持する検体ラックを搬送する。判定部３０１が塗抹標本作製装置６１及び試料調製装置３０に検体搬送装置４０で検体を搬送しないと判定した場合、搬送コントローラ３０５が検体搬送装置４０を制御し、検体搬送装置４０が、検体測定装置１０から載置部５０に検体容器を保持する検体ラックを戻す。
【００７２】
判定部３０１が、塗抹標本作製装置６１に検体搬送装置４０で検体を搬送すると判定した場合、搬送コントローラ３０５が検体搬送装置４０を制御し、検体搬送装置４０が、検体測定装置１０から塗抹標本作製装置６１に、検体容器を保持する検体ラックを搬送する。塗抹標本作製装置６１が備える読み取り装置は、検体容器の識別子及び検体ラックの識別子を読み取り、情報処理ユニット３２０に送る。情報処理ユニット３２０は、識別子を与えられた検体が塗抹標本の作製対象であるか、通信ネットワークを介してホストコンピュータ３００に問い合わせる。識別子を与えられた検体が塗抹標本の作製対象である場合、塗抹標本作製装置６１は、例えば、検体容器の栓に吸引管を突き刺し、検体容器内から必要量の検体を吸引する。塗抹標本作製装置６１は、検体をスライドガラス等の透明基板上に塗抹し、染色液によって検体を染色して、塗抹標本を作製する。
【００７３】
実施形態に係る検体測定システムは、塗抹標本を撮像する撮像装置６２をさらに備える。塗抹標本作製装置６１と撮像装置６２の間には、標本搬送装置６４が配置されている。標本搬送装置６４は、塗抹標本作製装置６１が作製した塗抹標本を収容しているカセットを、塗抹標本作製装置６１から撮像装置６２に搬送する。撮像装置６２は、顕微鏡ユニットを用いて、塗抹標本の画像を撮像する。
【００７４】
実施形態に係る検体測定システムは、撮像装置６２が撮像した塗抹標本の画像を解析する画像解析装置３３０をさらに備える。画像解析装置３３０は、塗抹標本の画像に含まれる血球を種類ごとに計数する。画像解析装置３３０は、例えば、塗抹標本の画像に芽球が含まれるか解析する。塗抹標本の画像に芽球が含まれる場合、画像解析装置３３０は、塗抹標本の画像から芽球を抽出し、芽球の数又は濃度を算出する。
【００７５】
画像解析装置３３０には、通信ネットワークを介してホストコンピュータ３００の判定部３０１が接続される。判定部３０１は、画像解析装置３３０から塗抹標本の画像の解析結果を受信する。ここで、塗抹標本の画像の解析結果とは、芽球の濃度である。判定部３０１は、検体測定装置１０による検体の測定結果及び画像解析装置３３０による塗抹標本の画像の解析結果に基づいて、検体が所定の条件を満たすか判定する。ここで、所定の基準とは、例えば、検体測定装置１０による検体の測定結果が、白血球数が高く、白血球計数分類が異常であり、芽球が存在することを示しており、かつ、塗抹標本の画像の解析結果が、芽球の数又は濃度が所定の値以上であることをいう。あるいは、所定の基準とは、例えば、検体測定装置１０による検体の測定結果が、白血球スキャッタグラム異常を示しており、かつ、塗抹標本の画像の解析結果が、芽球の数又は濃度が所定の値以上であることをいう。検体が所定の条件を満たす場合、判定部３０１は、試料測定装置２０が備えるフローサイトメータにより、検体を測定すると判定する。また、例えば、この場合、判定部３０１は、検体搬送装置４０で試料調製装置３０に検体を搬送すると判定する。検体の測定結果検体が所定の条件を満たさない場合、判定部３０１は、試料測定装置２０が備えるフローサイトメータにより、検体を測定しないと判定する。また、例えば、この場合、判定部３０１は、検体搬送装置４０で試料調製装置３０に検体を搬送しないと判定する。
【００７６】
判定部３０１が試料調製装置３０に検体搬送装置４０で検体を搬送すると判定した場合、搬送コントローラ３０５が検体搬送装置４０を制御し、検体搬送装置４０が、塗抹標本作製装置６１から試料調製装置３０に検体容器を保持する検体ラックを搬送する。判定部３０１が試料調製装置３０に検体搬送装置４０で検体を搬送しないと判定した場合、搬送コントローラ３０５が検体搬送装置４０を制御し、検体搬送装置４０が、塗抹標本作製装置６１から載置部５０に検体容器を保持する検体ラックを戻す。
【００７７】
実施形態に係る検体測定システムは、検体測定装置１０による測定結果及び画像解析装置３３０による塗抹標本の画像の解析結果の少なくともいずれかに基づいて、試料測定装置２０が備えるフローサイトメータの測定オーダを生成する図４に示す測定オーダ生成部３０２をさらに備える。測定オーダ生成部３０２は、ホストコンピュータ３００に含まれる。
【００７８】
検体測定装置１０による検体の測定結果が、白血球数が高く、白血球計数分類が異常であり、芽球が存在することを示しており、かつ、塗抹標本の画像の解析結果が、芽球の数又は濃度が所定の値以上であることを示していた場合、被験者が急性骨髄性白血病（ＡＭＬ）の可能性がある。この所定の基準を満たす場合、測定オーダ生成部３０２は、急性骨髄性白血病（ＡＭＬ）の判定に用いる抗体パネルで検体を標識する測定オーダを生成する。急性骨髄性白血病（ＡＭＬ）の判定に用いる抗体パネルが対象とする抗原は、例えば、ＣＤ７、ＣＤ１１ｂ、ＣＤ１３、ＣＤ１４、ＣＤ１５、ＣＤ１６、ＣＤ３３、ＣＤ３４、ＣＤ４５、ＣＤ５６、ＣＤ１１７及びＨＬＡ−ＤＲである。この場合、急性リンパ性白血病（ＡＬＬ）の判定に用いる抗体パネルが不要となるため、試料測定装置２０が備えるフローサイトメータによる測定で用いられる標識試薬のコストを低減することが可能となる。
【００７９】
検体測定装置１０による検体の測定結果が、白血球スキャッタグラム異常を示しており、かつ、塗抹標本の画像の解析結果が、芽球の数又は濃度が所定の値以上であることを示していた場合、被験者が急性リンパ性白血病（ＡＬＬ）の可能性がある。この所定の基準を満たす場合、測定オーダ生成部３０２は、急性リンパ性白血病（ＡＬＬ）の判定に用いる抗体パネルで検体を標識する測定オーダを生成する。急性リンパ性白血病（ＡＬＬ）の判定に用いる抗体パネルが対象とする抗原は、例えば、ＣＤ５、ＣＤ１０、ＣＤ１９、ＣＤ２０、ＣＤ４５、Ｉｇκ、Ｉｇλ、ＣＤ２、ＣＤ３、ＣＤ４、ＣＤ７、ＣＤ８及びＣＤ５６である。この場合、急性骨髄性白血病（ＡＭＬ）の判定に用いる抗体パネルが不要となるため、試料測定装置２０が備えるフローサイトメータによる測定で用いられる標識試薬のコストを低減することが可能となる。
【００８０】
また、測定オーダ生成部３０２は、標識試薬に含まれる蛍光試薬に応じて、試料測定装置２０が備えるフローサイトメータで用いる励起光の波長、測定する蛍光の波長、及びフローセルを流れる流体の流速等の測定オーダを作成する。
【００８１】
出力装置５０１は、生成した測定オーダを出力してもよい。また、出力装置５０１は、図５に示すように、生成した測定オーダの測定項目に基づいて試料を調製してよいか、医療従事者に問い合わせる表示をしてもよい。
【００８２】
図２に示す測定オーダ生成部３０２は、生成した測定オーダの変更を受け付けてもよい。測定オーダ生成部３０２には、医療従事者から測定オーダの変更を受け付ける受付部５０２が接続されてもよい。受付部５０２としては、キーボード及びタッチパネル等の入力装置が使用可能である。受付部５０２を介して、医療従事者は、図５に示すように、測定オーダの測定項目を変更してもよい。
【００８３】
測定オーダ生成部３０２を含むホストコンピュータ３００は、通信ネットワークを介して、図１に示す試料調製装置３０に接続された情報処理ユニット３４０に接続されている。試料調製装置３０は、試料測定装置２０が備えるフローサイトメータで測定される検体の前処理を行う。試料測定装置２０が備える読み取り装置は、検体容器の識別子及び検体ラックの識別子を読み取り、情報処理ユニット３４０に送る。情報処理ユニット３４０は、識別子を与えられた検体の測定オーダを通信ネットワークを介してホストコンピュータ３００に問い合わせる。情報処理ユニット３４０は、測定オーダ生成部３０２から受信した測定オーダを試料調製装置３０に送る。試料調製装置３０は、例えば、検体搬送装置４０で搬送されてきたを収容した検体容器の栓に吸引管を突き刺し、検体容器内から必要量の検体を吸引する。試料調製装置３０は、検体を吸引する前に検体容器内の検体を攪拌してもよい。
【００８４】
試料調製装置３０は、検体容器から吸引した検体を、試料容器に分注する。試料調製装置３０は、測定オーダに基づいて、試料容器内の検体に抗体を含む標識試薬を加える。これにより、検体と標識試薬とが反応し、試料を形成する。標識試薬において、例えば、モノクローナル抗体等の抗体が蛍光試薬で標識されている。検体と標識試薬が反応する際、試料容器を加温してもよい。
【００８５】
試料調製装置３０は、測定オーダに基づいて、試料容器内に溶血剤を加え、試料と溶血剤が反応する。試料と溶血剤が反応する際、試料容器を加温してもよい。溶血剤により、試料測定装置２０が備えるフローサイトメータで試料を解析する際に存在することが好ましくない赤血球が溶血する。
【００８６】
試料調製装置３０は、測定オーダに基づいて、試料容器内の試料を遠心分離する。遠心分離後、試料調製装置３０は、試料容器内の試料から上清を除去する。これにより、上清に含まれる、溶血した赤血球の滓、血球の抗原に結合しなかった標識試薬が除去される。試料調製装置３０は、測定オーダに基づいて、試料容器内の試料を緩衝液で希釈する。試料調製装置３０は、調製した試料を収容している試料容器に封をしなくともよい。
【００８７】
試料測定装置２０は情報処理ユニット３５０が接続されている。情報処理ユニット３５０は、ホストコンピュータ３００に含まれる測定オーダ生成部３０２から受信した測定オーダを試料調製装置３０に送る。試料測定装置２０が備えるフローサイトメータは、試料調製装置３０と一体化していてもよい。試料測定装置２０が備えるフローサイトメータは、フローセルを備える。試料調製装置３０は、試料容器内の試料をノズル及び試料流路を介して吸引し、試料を試料測定装置２０が備えるフローセルに送液する。フローセルに供給された試料に、光源から光が照射され、試料から発せられた前方散乱光、側方散乱光、及び蛍光を光検出部が検出する。光検出部には情報処理ユニット３５０に含まれる分析部が接続されている。分析部は、光検出部が検出した前方散乱光、側方散乱光、及び蛍光を分析し、試料に含まれる血球の種類及び抗原特性を分析する。
【００８８】
試料調製装置３０と試料測定装置２０は、一体化していなくてもよい。この場合、試料調製装置３０は、調製した試料を収容する試料容器をカルーセル及びラック等の試料容器保持器具に保持してもよい。試料容器又は試料容器を保持している試料容器保持器具は、医療従事者が試料調製装置３０から試料測定装置２０に搬送してもよい。あるいは、試料搬送装置が、試料調製装置３０から試料測定装置２０に、試料容器又は試料容器を保持している試料容器保持器具を搬送してもよい。試料搬送装置は、例えば、コンベヤー又はロボットアームを備える。試料調製装置３０で試料が調製されるたびに、調製された試料を収容する試料容器が試料測定装置２０に搬送されてもよい。
【００８９】
試料調製装置３０は、例えば、複数の試料を調製し、複数の試料容器に収納する。複数の試料容器は、例えば一つの試料容器保持器具に保持される。試料容器保持器具に保持される複数の試料容器のそれぞれに収容される試料は、調製された時間の間隔が短いほうが好ましい。例えば、試料容器が栓をされていない場合、先に調製された試料のほうが、後に調製された試料と比較して、溶媒が多く蒸発し、試料の濃度が高くなり、試料測定装置２０の測定に影響を与える場合がある。
【００９０】
そこで、実施形態に係る検体測定システムは、検体容器を貯留する貯留部７０をさらに備えていてもよい。貯留部７０は、検体測定装置１０と試料調製装置３０との間、例えば、塗抹標本作製装置６１と試料調製装置３０との間に配置される。貯留部７０は、試料調製装置３０が検体から複数の試料を調製可能になるまで、検体容器を貯留する。
【００９１】
試料調製装置３０において、試料容器保持器具が空になると、試料調製装置３０は、搬送コントローラ３０５に、検体を受け入れ可能である信号を送信する。試料調製装置３０が検体を受け入れ可能である信号を受信した搬送コントローラ３０５は、貯留部７０を制御し、貯留部７０が、検体容器を収容している検体ラックを検体搬送装置４０に送り出す。また、搬送コントローラ３０５は、検体搬送装置４０を制御し、検体搬送装置４０が、貯留部７０から試料調製装置３０に、検体容器を搬送する。これにより、試料容器保持器具に保持される複数の試料のそれぞれの調製時間の間隔が短くなる。
【００９２】
ただし、血液検体を採血後、一定以上の時間が経過すると、血液検体が変質し、試料測定装置２０の測定に影響を与える場合がある。したがって、貯留時間が一定の時間を超えた場合、検体搬送装置４０は、貯留部７０から載置部５０に、検体容器を戻してもよい。
【００９３】
実施形態に係る検体測定システムは、検体容器の搬送先に応じて、検体ラックに保持された検体容器を別の検体ラックに移し替える検体移し替え装置８０をさらに備えていてもよい。検体移し替え装置８０は、例えば、塗抹標本作製装置６１と貯留部７０との間に配置される。例えば、検体搬送装置４０が、検体測定装置１０又は塗抹標本作製装置６１から試料調製装置３０に検体容器を搬送する場合、検体移し替え装置８０は、検体ラックに保持されている検体容器を別の検体ラックに移し替えない。また、例えば、検体搬送装置４０が、試料調製装置３０又は貯留部７０から載置部５０に検体容器を戻す場合、検体移し替え装置８０は、検体ラックに保持されている検体容器を別の検体ラックに移し替える。ただし、検体移し替え装置８０を配置することは任意である。
【００９４】
次に、図６に示すフローチャートを参照して、実施形態に係る検体測定方法を説明する。実施形態に係る検体測定方法は、検体測定装置１０で検体を測定するステップ１と、判定部３０１が、検体測定装置１０の測定結果に基づいて、フローサイトメータにより、検体を測定するか否かを判定するステップ２と、を含む。
【００９５】
図６のステップ１に含まれるステップを、図７に示すフローチャートを参照して説明する。ステップＳ１０１で、複数の検体容器を保持する検体ラックを載置部５０に載置する。載置部５０が備える読み取り装置は、検体容器の識別子及び検体ラックの識別子を読み取り、搬送コントローラ３０５に送る。搬送コントローラ３０５は、受信した識別子が複数の検体測定装置１０のいずれかで検査すべき検体に対応しているか、通信ネットワークを介してホストコンピュータ３００に問い合わせる。識別子が複数の検体測定装置１０のいずれかで検査すべき検体に対応している場合、搬送コントローラ３０５は載置部５０を制御し、載置部５０が検体容器を収容している検体ラックを検体搬送装置４０に送り出す。
【００９６】
ステップＳ１０２で、搬送コントローラ３０５が検体搬送装置４０を制御し、検体搬送装置４０が、載置部５０からホストコンピュータ３００で指定された検体測定装置１０に、検体容器を保持する検体ラックを搬送する。ステップＳ１０３で、検体ラックが搬送されてきた検体測定装置１０が備える読み取り装置は、検体容器の識別子及び検体ラックの識別子を読み取り、情報処理ユニット３１０がホストコンピュータ３００に識別子を送る。ホストコンピュータ３００は、識別子に対して予め用意されていた測定オーダを情報処理ユニット３１０に送り返す。ステップＳ１０４で、検体測定装置１０は、情報処理ユニット３１０が受信した測定オーダに従って、検体を測定する。その後、図６のステップＳ２に進む。
【００９７】
図６のステップ２に含まれるステップを、図８及び図９に示すフローチャートを参照して説明する。ステップＳ２０１で、ホストコンピュータ３００に含まれる判定部３０１は、情報処理ユニット３１０から検体測定装置１０による検体の測定結果を受信する。判定部３０１は、検体測定装置１０による検体の測定結果に基づいて、検体が所定の条件を満たすか判定し、試料測定装置２０が備えるフローサイトメータにより、検体を測定するか否か判定する。検体が所定の条件を満たし、フローサイトメータにより検体を測定すると判定した場合、ステップＳ２０２で、判定部３０１は、検体を画像解析するか判定する。判定部３０１が画像解析すると判定した場合、ステップＳ２０３で、搬送コントローラ３０５が検体搬送装置４０を制御し、検体搬送装置４０が、検体測定装置１０から塗抹標本作製装置６１に検体容器を保持する検体ラックを搬送する。なお、医療従事者が塗抹標本作製装置６１に検体を運んでもよい。
【００９８】
ステップＳ２０４で、塗抹標本作製装置６１は、検体を透明基板上に塗抹し、染色液によって検体を染色して、塗抹標本を作製する。ステップＳ２０５で、撮像装置６２は、顕塗抹標本の画像を撮像し、画像解析装置３３０は、塗抹標本の画像を解析する。
【００９９】
ステップＳ２０６で、ホストコンピュータ３００に含まれる判定部３０１は、画像解析装置３３０から塗抹標本の画像の解析結果を受信し、判定部３０１は、検体測定装置１０による検体の測定結果及び画像解析装置３３０による塗抹標本の画像の解析結果に基づいて、検体が所定の条件を満たすか判定し、試料測定装置２０が備えるフローサイトメータにより、検体を測定するか否か判定する。検体が所定の条件を満たし、フローサイトメータにより検体を測定すると判定した場合、ステップＳ２０７で、搬送コントローラ３０５は、試料調製装置３０が検体を受け入れ可能か問い合わせる。試料調製装置３０が検体を受け入れ可能である場合、ステップＳ２０８で、搬送コントローラ３０５は、検体搬送装置４０を制御し、検体搬送装置４０が、塗抹標本作製装置６１から試料調製装置３０に検体容器を保持する検体ラックを搬送する。なお、医療従事者が試料調製装置３０に検体を運んでもよい。その後、図１０のステップＳ３０１に進む。
【０１００】
ステップＳ２０７で、試料調製装置３０が検体を受け入れ可能でない場合、ステップＳ２４１で、搬送コントローラ３０５は、検体搬送装置４０及び貯留部７０を制御し、検体搬送装置４０が、塗抹標本作製装置６１から貯留部７０に検体容器を保持する検体ラックを搬送し、貯留部７０が検体ラックを貯留する。ステップＳ２４２で、試料調製装置３０において、試料容器保持器具が空になると、試料調製装置３０は、搬送コントローラ３０５に、検体を受け入れ可能である信号を送信し、搬送コントローラ３０５が貯留部７０及び検体搬送装置４０を制御し、検体搬送装置４０が、貯留部７０から試料調製装置３０に検体容器を保持する検体ラックを搬送する。その後、図１０のステップＳ３０１に進む。
【０１０１】
図８のステップＳ２０１で、検体が所定の条件を満たさず、フローサイトメータにより検体を測定しないと判定した場合、ステップＳ２１１で、搬送コントローラ３０５が検体搬送装置４０を制御し、検体搬送装置４０が、検体測定装置１０から載置部５０に検体容器を保持する検体ラックを戻す。なお、医療従事者が検体測定装置１０から検体を除いてもよ。ステップＳ２０２で、判定部３０１が画像解析しないと判定した場合、ステップＳ２２１で、搬送コントローラ３０５が検体搬送装置４０を制御し、検体搬送装置４０が、検体測定装置１０から試料調製装置３０に検体容器を保持する検体ラックを搬送する。なお、医療従事者が試料調製装置３０に検体を運んでもよい。必要に応じて、検体ラックを貯留部７０に貯留してもよい。その後、図１０のステップＳ３０１に進む。図９のステップＳ２０６で、検体が所定の条件を満たさず、フローサイトメータにより検体を測定しないと判定した場合、ステップＳ２３１で、搬送コントローラ３０５が検体搬送装置４０を制御し、検体搬送装置４０が、塗抹標本作製装置６１から載置部５０に検体容器を保持する検体ラックを戻す。なお、医療従事者が塗抹標本作製装置６１から検体を除いてもよい。
【０１０２】
図１０のステップＳ３０１で、ホストコンピュータ３００に含まれる測定オーダ生成部３０２は、検体測定装置１０による測定結果及び画像解析装置３３０による塗抹標本の画像の解析結果の少なくともいずれかに基づいて、試料測定装置２０が備えるフローサイトメータの測定オーダを生成する。ステップＳ３０２で、測定オーダ生成部３０２は、測定オーダの変更を任意で受け付ける。
【０１０３】
ステップＳ３０３で、測定オーダ生成部３０２は、試料調製装置３０に接続された情報処理ユニット３４０に測定オーダを送る。試料調製装置３０は、情報処理ユニット３４０が受信した測定オーダに基づいて、試料容器内の検体に抗体を含む標識試薬を加えて試料を調製する。調製された試料は、フローサイトメータを備える試料測定装置２０に送られる。測定オーダ生成部３０２は、試料測定装置２０に接続された情報処理ユニット３５０に測定オーダを送る。試料測定装置２０は、情報処理ユニット３５０が受信した測定オーダに基づいて、試料を測定する。
【０１０４】
上記のように本発明を実施形態によって記載したが、この開示の一部をなす記述及び図面はこの発明を限定するものであると理解するべきではない。この開示から当業者には様々な代替実施形態、実施例及び運用技術が明らかになるはずである。例えば、実施形態に係る検体測定システムは、塗抹標本作製装置６１、撮像装置６２、及び画像解析装置３３０を備えなくともよい。この場合、判定部３０１は、画像解析の結果を用いずに、検体測定装置１０による検体の測定結果に基づいて、フローサイトメータにより、検体を測定するか否かを判定してもよい。あるいは、判定部３０１及び測定オーダ生成部３０２は、実施形態に係る検体測定システムの外部の画像解析装置から塗抹標本の画像の解析結果を受信してもよい。
【０１０５】
検体測定装置１０はフローサイトメータを備えることに限定されない。例えば、成人Ｔ細胞白血病の検査に本発明を適用する場合、免疫分析装置を備える検体測定装置１０を用いて、血液検体が抗ＨＴＬＶ−Ｉ抗体陽性であるかを測定する。陽性である場合、判定部３０１がフローサイトメータにより、検体を測定すると判定し、検体搬送装置４０が試料調製装置３０に血液検体を搬送する。試料調製装置３０は、例えばＣＤ３、ＣＤ４、ＣＤ８、及びＣＤ４５に対する抗体を含む標識試薬を用いて、血液検体から試料を調製する。試料測定装置２０が備えるフローサイトメータは、試料においてＣＤ３、ＣＤ４、ＣＤ８、及びＣＤ４５のそれぞれが陽性であるか陰性であるかを測定する。
【０１０６】
また、本発明は、造血器腫瘍検査以外の検査にも適用可能である。例えば、発作性夜間血色素尿症（ＰＮＨ）の検査に本発明を適用する場合、尿分析装置を備える検体測定装置１０を用いて、尿検体がビリルビン陽性であるかを測定する。陽性である場合、判定部３０１がフローサイトメータにより、検体を測定すると判定し、検体搬送装置４０が試料調製装置３０に尿検体を搬送する。試料調製装置３０は、例えばＣＤ５５及びＣＤ５９に対する抗体を含む標識試薬を用いて、尿検体から試料を調製する。試料測定装置２０が備えるフローサイトメータは、試料においてＣＤ５５及びＣＤ５９のそれぞれが陽性であるか陰性であるかを測定する。
【０１０７】
あるいは、ＩＴＰの検査に本発明を適用する場合、血液凝固分析装置をさらに備える検体測定装置１０を用いて、血液検体においてプロトロンビン時間（ＰＴ）及び活性化部分トロンボプラスチン時間（ＡＰＴＴ）が正常であるか測定する。血小板数が基準値以下であり、ＰＴ及びＡＰＴＴが正常である場合、判定部３０１がフローサイトメータにより、検体を測定すると判定し、検体搬送装置４０が試料調製装置３０に血液検体を搬送する。試料調製装置３０は、例えばＣＤ３６、ＣＤ４１／６１、ＣＤ４２ｂｃ／ａ／ｄ、ＣＤ４９ｂ／２９及びＣＤ１１０に対する抗体を含む標識試薬を用いて、血液検体から試料を調製する。試料測定装置２０が備えるフローサイトメータは、試料においてＣＤ３６、ＣＤ４１／６１、ＣＤ４２ｂｃ／ａ／ｄ、ＣＤ４９ｂ／２９及びＣＤ１１０のそれぞれが陽性であるか陰性であるかを測定する。
【０１０８】
例えば、幹細胞移植の検査に本発明を適用する場合、血球計測装置を備える検体測定装置１０を用いて、血液検体において白血球数が基準値以上であるか測定する。白血球数が基準値以上である場合、判定部３０１がフローサイトメータにより、検体を測定すると判定し、検体搬送装置４０が試料調製装置３０に血液検体を搬送する。試料調製装置３０は、例えばＣＤ３４に対する抗体を含む標識試薬を用いて、血液検体から試料を調製する。試料測定装置２０が備えるフローサイトメータは、試料においてＣＤ３４陽性細胞を測定し、ＣＤ３４陽性細胞が一定濃度以上存在するか判定する。
【０１０９】
また、フローサイトメータの構成は上記に限られない。例えば、フローセルにおいて、光学情報だけでなく、検体中の粒子が通過する際に生じるＤＣインピーダンスやＲＦインピーダンスの変化等の電気的パラメーターを測定してもよい。また、光学情報を取得するために前方散乱光及び側方散乱光を測定するのみならず、例えば、１０°未満に散乱する低角度散乱光、６°から２６°に散乱する低中央角度散乱光、１５°から５０°に散乱する高中央角度散乱光等、角度の異なる散乱光を測定してもよい。さらに光学情報として、散乱光に限られず、軸方向の光損失を測定してもよい。これらの情報を複合的に用いることによっても、血球の種類を分類することが可能である。
【０１１０】
このように、本発明はここでは記載していない様々な実施形態等を包含するということを理解すべきである。
【符号の説明】
【０１１１】
１０…検体測定装置、２０…試料測定装置、３０…試料調製装置、３２…撮像装置、４０…検体搬送装置、５０…載置部、６１…塗抹標本作製装置、６２…撮像装置、６３…画像解析装置、７０…貯留部、８０…検体移し替え装置、３０１…判定部、３０２…測定オーダ生成部、３３０…画像解析装置、５０２…受付部
【図１】
2020051872.tif 000003
【図２】
2020051872.tif 000004
【図３】
2020051872.tif 000005
【図４】
2020051872.tif 000006
【図５】
2020051872.tif 000007
【図６】
2020051872.tif 000008
【図７】
2020051872.tif 000009
【図８】
2020051872.tif 000010
【図９】
2020051872.tif 000011
【図１０】
2020051872.tif 000012